(57)【要約】【課題】ユーザが証明写真のレイアウト等を簡単に指定できる証明写真技術を提供する。【解決手段】画像データを保持する端末装置と、前記画像データを前記端末装置から取得し登録するサーバ装置と、前記端末装置のユーザが、証明写真のプリントを行うプリントサーバに前記サーバ装置から受け取ったプリント予約番号を入力する操作に基づいて、前記画像データを受け取り、前記画像データに基づいて、証明写真をプリントアウトする証明写真提供システムにおいて、前記サーバ装置は、前記端末装置に、前記画像データの加工及び／又はレイアウト配置を前記端末装置の操作に基づいて行わせ、前記証明写真のデータを作成する証明写真提供システム。【選択図】図１
2017059172.tif 000002
【特許請求の範囲】
【請求項１】
画像データを保持する端末装置と、
前記画像データを前記端末装置から取得し登録するサーバ装置と、
前記端末装置のユーザが、証明写真のプリントを行うプリントサーバに前記サーバ装置から受け取ったプリント予約番号を入力する操作に基づいて、前記画像データを受け取り、前記画像データに基づいて、証明写真をプリントアウトする証明写真提供システムにおいて、
前記サーバ装置は、前記端末装置に、前記画像データの加工及び／又はレイアウト配置を前記端末装置の操作に基づいて行わせ、前記証明写真のデータを作成する証明写真提供システム。
【請求項２】
前記端末装置と前記サーバ装置との間のやり取りにより、複数枚の異なる写真について写真毎に前記画像データの加工を行えるように構成されていることを特徴とする請求項１に記載の証明写真提供システム。
【請求項３】
前記サーバ装置が、前記端末装置において写真をトリミングするための画面のデータを送信し、
前記端末装置の表示部に表示された写真に基づいて、入力部によりトリミングし、又は、テンプレートに配置したデータを前記サーバ装置に返信することを特徴とする請求項１に記載の証明写真提供システム。
【請求項４】
前記サーバ装置が、ユーザの位置情報又は顔認識に基づいて取得した属性情報に基づく広告を前記プリントサーバに送信し、前記プリントサーバが前記広告を前記証明写真に付加することを特徴とする請求項１から３までのいずれか１項に記載の証明写真提供システム。
【請求項５】
画像データを保持する端末装置と、
前記画像データを前記端末装置から取得し登録する第１のサーバ装置であって、証明写真の画像のもととなる画像ファイルデータを作成するとともに、前記画像ファイルデータに関連付けされた固有のプリント予約番号を発行する第１のサーバ装置と、
前記第１のサーバ装置から、前記画像ファイルデータと前記プリント予約番号との組を受け取り、前記組を保存する第２のサーバ装置と、を備え、
前記端末装置のユーザが、証明写真のプリントを行うプリントサーバに前記第１のサーバ装置から受け取った前記プリント予約番号を入力する操作に基づいて、前記プリントサーバが前記第２のサーバ装置に前記プリント予約番号と組みとなる前記画像ファイルデータを受け取り、前記画像ファイルデータに基づいて、証明写真をプリントアウトし、
前記第１のサーバ装置は、前記端末装置に、前記画像データの加工及び又はレイアウト配置を前記端末装置の操作に基づいて行わせ、前記証明写真のデータを作成する証明写真提供システム。
【請求項６】
前記第２のサーバ装置は、前記プリント予約番号の重複をチェックし、重複した場合には、前記プリント予約番号を新たなものとして前記第１のサーバ装置に通知する請求項５に記載の証明写真提供システム。
【請求項７】
さらに、前記第２のサーバ装置と、前記プリントサーバとの中継を行い、課金、統計処理を行う第３のサーバ装置を有する請求項５又は６に記載の証明写真提供システム。
【請求項８】
前記第１のサーバ装置は、前記端末装置に対して、写真登録画面を表示させるためのデータを送信し、
前記端末装置からの返信データを受け取る請求項５から７までのいずれか１項に記載の証明写真提供システム。
【請求項９】
前記サーバ装置が、ユーザの位置情報又は顔認識に基づいて取得した属性情報に基づく広告を前記プリントサーバに送信し、前記プリントサーバが前記広告を前記証明写真に付加することを特徴とする請求項５から８までのいずれか１項に記載の証明写真提供システム。
【請求項１０】
画像データを保持する端末装置と、
前記画像データを前記端末装置から取得し登録する第１のサーバ装置であって、証明写真の画像のもととなる画像ファイルデータを作成するとともに、前記画像ファイルデータに関連付けされた固有のプリント予約番号（アルファベット等を含んでも良い。）を発行する第１のサーバ装置と、
前記第１のサーバ装置から、前記画像ファイルデータと前記プリント予約番号との組を受け取り、前記組を保存する第２のサーバ装置と、を備え、
前記端末装置のユーザが、証明写真のプリントを行う予定であった第１のプリントサーバとは異なる第２のプリントサーバに前記第１のサーバ装置から受け取った前記プリント予約番号を入力する操作に基づいて、前記第２のプリントサーバが前記第２のサーバ装置に前記プリント予約番号と組みとなる前記画像ファイルデータを受け取り、前記画像ファイルデータに基づいて、証明写真をプリントアウトし、
前記第１のサーバ装置は、前記画像データの加工及び又はレイアウト配置を前記端末装置の操作に基づいて行い、前記証明写真のデータを作成する証明写真提供システム。
【請求項１１】
画像データを保持する端末装置と、前記画像データを前記端末装置から取得し登録するサーバ装置と、前記端末装置のユーザが、証明写真のプリントを行うプリントサーバに前記サーバ装置から受け取ったプリント予約番号を入力する操作に基づいて、前記画像データを受け取り、前記画像データに基づいて、証明写真をプリントアウトする証明写真提供システムにおける証明写真提供方法において、
前記サーバ装置は、前記端末装置に、前記画像データの加工及び／又はレイアウト配置を前記端末装置の操作に基づいて行わせ、前記証明写真のデータを作成する証明写真提供方法。
【請求項１２】
請求項１１に記載の証明写真提供方法をコンピュータに実行させるためのプログラム。
【発明の詳細な説明】
【技術分野】
【０００１】
本発明は、証明写真提供技術に関する。
【背景技術】
【０００２】
最近、コンビニエンスストア等において、マルチコピー機などを利用して証明写真を提供するサービスが行われている。
【０００３】
例えば、下記の非特許文献１には、コンビニエンスストアのマルチコピー機で証明写真をプリントすることが開示されている。
【先行技術文献】
【非特許文献】
【０００４】
【非特許文献１】http://pic-chan.net/
【発明の概要】
【発明が解決しようとする課題】
【０００５】
ところで、コンビニ証明写真は、ユーザが、証明写真をプリントするコンビニエンスストアを指定し、サーバ等を介してマルチコピー機に画像データを送信する仕組みを有するものが一般的である。
【０００６】
しかしながら、例えば、ユーザが証明写真のレイアウト等を変更したり、複数枚の異なる写真について写真毎に変形等の加工を行ったりすることは難しかった。
【０００７】
本発明は、ユーザが証明写真のレイアウト等を簡単に変更したり、複数枚の異なる写真について写真毎に変形等の加工を行ったりすることができる証明写真技術を提供することを目的とする。
【課題を解決するための手段】
【０００８】
本発明の一観点によれば、画像データを保持する端末装置と、前記画像データを前記端末装置から取得し登録するサーバ装置と、前記端末装置のユーザが、証明写真のプリントを行うプリントサーバに前記サーバ装置から受け取ったプリント予約番号を入力する操作に基づいて、前記画像データを受け取り、前記画像データに基づいて、証明写真をプリントアウトする証明写真提供システムにおいて、前記サーバ装置は、前記端末装置に、前記画像データの加工及び／又はレイアウト配置を前記端末装置の操作に基づいて行わせて、前記証明写真のデータを作成する証明写真提供システムが提供される。 
【０００９】
前記サーバ装置は、複数枚の異なる写真について写真毎に前記画像データの加工を行えるように構成されていることを特徴とする。
【００１０】
前記サーバ装置が、ユーザの位置情報又は顔認識に基づいて取得した属性情報に基づく広告を前記プリントサーバに送信し、前記プリントサーバが前記広告を前記証明写真に付加することを特徴とする。
【００１１】
前記端末装置と前記サーバ装置との間のやり取りにより、前記端末装置において写真をトリミングするための画面のデータを送信し、前記端末装置の表示部に表示された写真に基づいて、入力部によりトリミングし、又は、テンプレートに配置したデータを前記サーバ装置に返信することを特徴とする。前記証明写真は、家族又は団体に含まれる複数の人物の写真からなり、マイナンバーカード（個人番号カード）申請に適した写真である。
【００１２】
本発明は、画像データを保持する端末装置と、前記画像データを前記端末装置から取得し登録する第１のサーバ装置であって、証明写真の画像のもととなる画像ファイルデータを作成するとともに、前記画像ファイルデータに関連付けされた固有のプリント予約番号（アルファベット等を含んでも良い。）を発行する第１のサーバ装置と、前記第１のサーバ装置から、前記画像ファイルデータと前記プリント予約番号との組を受け取り、前記組を保存する第２のサーバ装置と、を備え、前記端末装置のユーザが、証明写真のプリントを行うプリントサーバに前記第１のサーバ装置から受け取った前記プリント予約番号を入力する操作に基づいて、前記プリントサーバが前記第２のサーバ装置に前記プリント予約番号と組みとなる前記画像ファイルデータを受け取り、前記画像ファイルデータに基づいて、証明写真をプリントアウトし、前記第１のサーバ装置は、前記端末装置に、前記画像データの加工及び又はレイアウト配置を前記端末装置の操作に基づいて行わせて、前記証明写真のデータを作成する証明写真提供システムであっても良い。
【００１３】
前記第２のサーバ装置は、前記プリント予約番号の重複をチェックし、重複した場合には、前記プリント予約番号を新たなものとして前記第１のサーバ装置に通知するようにしても良い。この際、前記アプリケーションサーバが再度プリント予約番号を発行するようにする。
【００１４】
前記サーバ装置２が、ユーザの位置情報又は顔認識に基づいて取得した属性情報に基づく広告を前記プリントサーバに送信し、前記プリントサーバが前記広告を前記証明写真に付加することを特徴とする。
【００１５】
さらに、前記第２のサーバ装置と、前記プリントサーバとの中継を行い、課金、統計処理を行う第３のサーバ装置を有するようにしても良い。
【００１６】
前記第１のサーバ装置は、前記端末装置に対して、写真登録画面を表示させるためのデータを送信し、前記端末装置からの返信データを受け取ることが好ましい。
【００１７】
本発明は、画像データを保持する端末装置と、前記画像データを前記端末装置から取得し登録する第１のサーバ装置であって、証明写真の画像のもととなる画像ファイルデータを作成するとともに、前記画像ファイルデータに関連付けされた固有のプリント予約番号（アルファベット等を含んでも良い。）を発行する第１のサーバ装置と、前記第１のサーバ装置から、前記画像ファイルデータと前記プリント予約番号との組を受け取り、前記組を保存する第２のサーバ装置と、を備え、前記端末装置のユーザが、証明写真のプリントを行う予定であった第１のプリントサーバとは異なる第２のプリントサーバに前記第１のサーバ装置から受け取った前記プリント予約番号を入力する操作に基づいて、前記第２のプリントサーバが前記第２のサーバ装置に前記プリント予約番号と組みとなる前記画像ファイルデータを受け取り、前記画像ファイルデータに基づいて、証明写真をプリントアウトし、前記第１のサーバ装置は、前記端末装置に、前記画像データの加工及び又はレイアウト配置を前記端末装置の操作に基づいて行わせ、前記証明写真のデータを作成する証明写真提供システムであっても良い。
【００１８】
本発明の他の観点によれば、画像データを保持する端末装置と、前記画像データを前記端末装置から取得し登録するサーバ装置と、前記端末装置のユーザが、証明写真のプリントを行うプリントサーバに前記サーバ装置から受け取ったプリント予約番号を入力する操作に基づいて、前記画像データを受け取り、前記画像データに基づいて、証明写真をプリントアウトする証明写真提供システムにおける証明写真提供方法おいて、前記サーバ装置は、前記端末装置に、前記画像データの加工及び／又はレイアウト配置を前記端末装置の操作に基づいて行わせ、前記証明写真のデータを作成する証明写真提供方法が提供される。
【００１９】
本発明は、上記に記載の証明写真提供方法をコンピュータに実行させるためのプログラムであっても良く、当該プログラムを記録するコンピュータ読み取り可能な記録媒体であっても良い。
【発明の効果】
【００２０】
本発明によれば、ユーザが証明写真の加工やレイアウト等を簡単に指定できる証明写真技術を提供することができる。
【図面の簡単な説明】
【００２１】
【図１】本発明の第１の実施の形態による証明写真提供システムの一構成例を示す機能ブロック図である。
【図２】携帯端末の一構成例を示す機能ブロック図である。
【図３】アプリケーションサーバの一構成例を示す機能ブロック図である。
【図４】中継サーバの一構成例を示す機能ブロック図である。
【図５】出力サーバの一構成例を示す機能ブロック図である。
【図６】出力端末の一構成例を示す機能ブロック図である。
【図７Ａ】処理の流れを示すシーケンス図である。
【図７Ｂ】処理の流れを示すシーケンス図である。
【図８】証明写真の一例を示す図である。
【図９】本発明の第２の実施の形態による証明写真提供システムの一構成例を示す機能ブロック図である。
【図１０Ａ】処理の流れを示すシーケンス図である。
【図１０Ｂ】処理の流れを示すシーケンス図である。
【発明を実施するための形態】
【００２２】
以下、本発明の実施の形態による証明写真提供技術について図面を参照しながら詳細に説明する。
【００２３】
（第１の実施の形態）
図１は、本発明の第１の実施の形態による証明写真提供システムの一構成例を示す機能ブロック図である。図１には、処理の概要についても合わせて示している。図１に示すように、証明写真提供システムＡは、顧客（ユーザ）の所持する携帯端末１と、画像データを携帯端末１から取得し登録するアプリケーションサーバ（第１のサーバ装置）１１と、アプリケーションサーバ１１から、画像データとプリント予約番号との組を受け取り、その組を保存する中継サーバ（第２のサーバ装置）２１と、を備える。さらに、中継サーバ２１と、プリントサーバ（出力端末）４１との中継を行い、課金、統計処理を行う出力サーバ（第３のサーバ装置）３１を有するようにしても良い。携帯端末１は、スマートフォン、モバイルＰＣ１ａなど、どのような形態でも良い。
【００２４】
この構成の動作を簡単に説明する。
１）まず、携帯端末１からアプリケーションサーバ１１に写真を登録する。
２）アプリケーションサーバ１１において、画像の加工を行う。そして、加工した画像に基づく証明写真に関する固有のプリント予約番号を発行する。
３）画像データと、プリント予約番号との組を作成し、中継サーバ２１に登録するために送る。
４）プリント予約番号の重複チェックを行う。より詳細には、４−１）重複チェックを依頼し、４−２)重複チェック結果を返却する。尚、重複があった場合、中継サーバ２１がアプリケーションサーバ１１に対し、プリント予約番号の再発行を依頼し、アプリケーションサーバが新しいプリント予約番号を発行する。
５）中継サーバ２１が出力サーバ３１に、プリント予約番号を登録する。
６）アプリケーションサーバ１１が、携帯端末１に対して、プリント予約番号を通知する。通知は、Ｗｅｂ、メールなどにより行うことができる。
７）ユーザが、例えば携帯端末１を所持してコンビニなどに行き、出力端末４１において、プリント予約番号を入力する。
８）ユーザが、出力端末４１において、プリントの購入（入金）を行う。
９−１）出力端末４１が、出力サーバ３１に、ファイルのダウンロードを指示する。
９−２）出力サーバ３１が、中継サーバ２１に、ファイルダウンロードを指示する。
１０−１）中継サーバ２１が出力サーバ３１にファイルを送信する。
１０−２）出力端末４１が、出力サーバ３１に、ファイル送信を行う。
以上の処理により、所望の証明写真を、出力端末４１において出力させることができる。
【００２５】
図２〜図６までは、上記のシステムを構成する各装置の一構成例を示す機能ブロック図である。
【００２６】
図２に示すように、携帯端末１は、例えば、カメラ１−１と、通信部１−２と、入力部１−３と、表示部１−４と、メモリ１−５と、制御部１−６（ＣＰＵ）と、を有している。メモリ１−５には、アプケーションプログラムや、写真などのデータ、プリント予約番号等が記憶されている。
【００２７】
図３に示すように、アプリケーションサーバ１１は、通信部１１−１と、画像加工部１１−２と、プリント予約番号発行部１１−３と、ファイル・プリント番号（Ｎｏ）登録部１１−４と、メモリ１１−５と、制御部１１−６と、を有している。
さらに、図示しないが、顧客の連絡先等を保持する顧客管理部を有している。
【００２８】
尚、画像加工部１１−２は、画像自体を加工する機能部と、画像の面付け（レイアウト）を行う機能部と、顔を認識する顔認識部等を有する。画像自体を加工する機能部は、サイズ加工、明るさ等の調整を行う。画像の面付け（レイアウト）は、例えば、異なる４人の写真を１枚のテンプレートに配置することができる。画像加工部１１−２は、例えば異なる４人の写真について、加工、調整などを独立して行うことができるように構成されている。これらの処理は、携帯端末１とアプリケーションサーバ１１との間でのやり取りにより実行される。
【００２９】
さらに、本実施の形態では、携帯端末１上において以下のような加工等を行うことができる。この場合も、例えば異なる４人の写真について、加工、調整などを独立して行うことができるように構成されている。
１）写真の背景を任意の携帯端末１内で保持されるデータやカメラで撮影したデータなどに基づいて変更することができる。
２）着物や帽子などを、任意の携帯端末１内で保持されるデータやカメラで撮影したデータなどに基づいて変更することができる。
３）例えば、女性の場合などに、美肌修正を行うようにしても良い。
４）その他、着物や肌、紙の色などを、変更することもできる。
５）レイアウト内の複数枚のうちの個別の１枚単位で、上記１）から４）までを行ったり、個別の１枚単位で特別な装飾等を施すようにしても良い。
【００３０】
図４は、中継サーバ２１の一構成例を示す機能ブロック図である。中継サーバ２１は、通信部２１−１と、プリント予約番号重複チェック部２１−２と、データ検索部２１−３と、メモリ２１−４と、制御部２１−５と、を有する。メモリ２１−４には、ファイルとプリント予約番号との組２１−４ａが記憶されている。
【００３１】
図５は、出力サーバ３１の一構成例を示す機能ブロック図である。出力サーバ３１は、通信部３１−１と、課金・集計部３１−２と、制御部３１−３と、メモリ３１−４と、を有している。メモリ３１−４には、ファイルとプリント予約番号との組３１−４ａが記憶されている。
【００３２】
図６は、出力端末４１の一構成例を示す機能ブロック図である、図６に示すように、出力端末４１は、ユーザが入力処理などを行う表示部を含むインターフェイス部４１−１と、プリンタ４１−２と、通信部４１−３と、制御部４１−４と、メモリ４１−５と、入金処理部４１−６とを有している。メモリ４１−５は、画像ファイル４１−５ａを格納する。
【００３３】
以下、上記の構成に基づく処理の流れについて、説明する。
図７Ａ、図７Ｂは、処理の流れを示すシーケンス図である。まず、Ｔ１からＴ１２までの処理において、携帯端末１とアプリケーションサーバ１１との間でやり取りが行う。
【００３４】
（Ｔ１）携帯端末１の入力部１−３により、写真のサイズを選択し、アプリケーションサーバ１１に送る。
（Ｔ２）アプリケーションサーバ１１の通信部１１−１が、メモリ１１−５等に登録されている、携帯端末１において写真登録をするための画面のデータを携帯端末１に送信する。
（Ｔ３）携帯端末１の通信部１−２が、メモリ１−５などに登録されている、例えばカメラ１−１で撮影された顔写真などをアップロードする。
（Ｔ４）アプリケーションサーバ１１の通信部１１−１が、メモリ１１−５等に登録されている、携帯端末１において写真をトリミングしたりレイアウトしたりするための画面のデータ（テンプレートなど）を携帯端末１に送信する。
（Ｔ５）携帯端末１において、表示部１−４に表示された写真を、入力部１−３などの操作等によりトリミングする。また、テンプレートなどに写真をレイアウトする。そして、トリミング、レイアウト（貼りつけ）のデータ（トリミング指示等）をアプリケーションサーバ１１に送信する。
【００３５】
（Ｔ６）アプリケーションサーバ１１において、携帯端末１から送られたトリミング、テンプレート指示に基づいて、印刷用画像ファイルを生成する。
（Ｔ７）Ｔ６で生成した印刷用画像ファイルを携帯端末１に送信する。
（Ｔ８）携帯端末１による印刷用画像ファイルの確認結果を、アプリケーションサーバ１１に送る。
（Ｔ９）アプリケーションサーバ１１から携帯端末１に対して、現在位置確認画面を送信する。
（Ｔ１０）携帯端末１において、現在位置の確認結果をアプリケーションサーバ１１に返信する。
（Ｔ１１）アプリケーションサーバ１１から携帯端末１に対して、連絡先（例えば、メールアドレス登録用の画面）を送信する。
（Ｔ１２）メールアドレス登録用の画面により登録したメールアドレスを、携帯端末１からアプリケーションサーバ１１に送信する。
以上の処理により、写真の登録と画像の加工等の処理を行うことができる。
【００３６】
次いで、アプリケーションサーバ１１と中継サーバ２１との間でやり取りが行われる。
（Ｔ１３）アプリケーションサーバ１１が、プリント予約番号を発行し、印刷用画像ファイルとともに中継サーバ２１に送信し、印刷用画像ファイルとプリント予約番号を登録させる。
（Ｔ１４）中継サーバ２１は、プリント予約番号の重複をチェックする。
（Ｔ１５）中継サーバ２１からアプリケーションサーバ１１に、重複チェックの結果を知らせる。
【００３７】
（Ｔ１６）アプリケーションサーバ１１は、携帯端末１に、プリント予約番号表示画面を送信する。
（Ｔ１７）アプリケーションサーバ１１は、携帯端末１に、プリント予約番号をメール等で送信する。
【００３８】
（Ｔ１８）例えば携帯端末１を所持したユーザは、所望の出力端末１１（プリントサーバ）が設置されているコンビニなどの場所に出向く。そして、Ｔ１７で通知されたプリント予約番号を、出力端末１１のインターフェイス部（入力キーなど）により入力する。
（Ｔ１９）出力端末１１は、中継サーバ２１に対して、プリント予約番号で特定された対象画像ファイルのダウンロードを要求する。
（Ｔ２０）中継サーバ２１は、出力端末４１に対して、対象画像ファイルをダウンロード（送信）する。
（Ｔ２１）出力端末４１において、対象ファイルを表示する。
（Ｔ２２）出力端末４１は、Ｔ２１において、画像ファイルを表示部（インターフェイス部４１−１）に表示させて確認を促す。
（Ｔ２３）出力端末４１は、表示部（インターフェイス部４１−１）に、料金を表示させる。
（Ｔ２４）ユーザは、出力端末４１の表示部（インターフェイス部４１−１）に表示された料金に見合う金額を、出力端末４１に入れる。この際、クレジットカードやプリペイドカードを利用しても良い。
（Ｔ２５）出力端末４１は、料金の入金を確認した後に、証明写真などの商品を印刷する。
これにより、ユーザは、所望の証明写真を入手することができる。
【００３９】
図８は、証明写真の一例を示す図である。図８（ａ）は、一般的な証明写真であり、１枚のシート７１に、複数の同じ人物の同じポーズ７１ａが表示されている。尚、７１ｄに示すように、広告などが表示されるようにしても良い。図８（ｂ）は、本実施の形態による証明写真のレイアウトの一例を示す図であり、異なる人物の写真８１ａ〜８１ｄまでが１枚のシート８１に配置されているレイアウトを有する。このようなシートを用いると、例えば、１回の処理で、家族又は企業等のマイナンバーカード申請用の写真を複数人分得ることができる。
【００４０】
この場合にも、証明写真に広告などが表示されるようにしても良い。広告は、余白領域に付加してもよく、あるいは、写真１枚を貼付する領域に付加しても良い。
【００４１】
広告に関しては、例えば、アプリケーションサーバ１１が、プリントサーバ（出力端末）４１に広告の内容を送信するようにしてもよい。すなわち、アプリケーションサーバ１１が、携帯端末１又は写真に関連付けされたユーザの位置情報や、顔認識技術により判断した年齢や性別に基づく広告を出力端末４１に配信し、出力端末４１が、証明写真の出力時に、当該広告を付加して印刷するようにしても良い。また、広告のデータを携帯端末１に送信してもよい。
【００４２】
以上に説明したように、本実施の形態によれば、端末装置のユーザが、証明写真のプリントを行うプリントサーバにサーバ装置から受け取ったプリント予約番号を入力する操作に基づいて、画像データを受け取り、画像データに基づいて、証明写真をプリントアウトする証明写真提供システムにおいて、サーバ装置が、画像データの加工及び／又はレイアウト配置を端末装置の（入力）操作に基づいて行い、証明写真のデータを作成することができる。
【００４３】
この際、例えば異なる４人の写真について、加工、調整などを独立して行うことができる。
【００４４】
尚、アプリケーションサーバ１１、中継サーバ２１、出力サーバ３１等は、独立したサーバでなく、一体のサーバであっても良い。
【００４５】
（第２の実施の形態）
次に、本発明の第２の実施の形態について説明する。図９は、本実施の形態による証明写真提供システムの一構成例を示す機能ブロック図である。図９には、処理の概要についても合わせて示している。図９に示すように、証明写真提供システムＣは、図１に示す第１の証明写真提供システムＡと、第２の証明写真提供システムＢとを利用する。
【００４６】
第１の第１の証明写真提供システムＡの構成及び処理については、第１の実施の形態と同様であるため、説明を省略する。
【００４７】
図９に示すように、第１の証明写真提供システムＡを利用して、携帯端末１が、６）プリント予約番号の通知、Ｗｅｂ、メールの受信を受けると、例えばその画面に表示されている第２の証明写真提供システムＢへの移行を促すボタン等を押すことで、第２の証明写真提供システムＢに移行する。すなわち、６−１）「別の出力端末４１ａで印刷する」を選択すると第２の証明写真提供システムＢの第２のアプリケーションサーバ１１ａから第２の出力サーバ３１ａに画像ファイルを登録する（６−２）。第２の出力サーバ３１ａは、第２のアプリケーションサーバ１１ａに、プリント予約番号を発行し（６−３）、第２のアプリケーションサーバ１１ａは、携帯端末１に、プリント予約番号の通知（Ｗｅｂ、メール）を行う（６−４）。
【００４８】
ユーザは、第２の出力端末４１ａに赴き、６−５）プリント予約番号の入力、６−６）プリント、購入操作を行う。この際、携帯端末１を所持して、自動転送するようにしても良い。
【００４９】
これに応じて、６−７）第２の出力サーバ３１ａが、第２の出力端末４１ａにおいて入力されたプリント予約番号に基づいて第２の出力端末４１ａにファイルをダウンロードし、第２の出力端末４１ａにおいて、証明写真を提供する。すなわち、入力されたプリント予約番号と第２の出力サーバ３１ａに保存されているファイルが紐付いているため、プリント予約番号により、ファイルを特定することができる。
【００５０】
以下、上記の構成に基づく処理の流れについて、説明する。
図１０Ａ、図１０Ｂは、処理の流れを示すシーケンス図である。これらの処理は、図７ＡのＴ１７までの処理後のやり取りである。
【００５１】
（Ｔ３１）携帯端末１の入力部１−３により、第２の出力端末４１ａで印刷することを選択し、第２のアプリケーションサーバ１１ａに送る。
（Ｔ３２）第２のアプリケーションサーバ１１ａは、第２の出力サーバ３１ａに対して、ファイルの登録、プリント予約番号の発行要求を行う。
（Ｔ３３）第２の出力サーバ３１ａは、プリント予約番号を発行する。プリント予約番号は、例えば、チェックデジット機能付きのランダムな数字８桁である。
（Ｔ３４）第２の出力サーバ３１ａは、第２のアプリケーションサーバ１１ａに対して、プリント予約番号を通知する。
（Ｔ３５）第２のアプリケーションサーバ１１ａは、携帯端末１に対して、プリント番号画面を送信する。その後に、第２のアプリケーションサーバ１１ａは、携帯端末１に対して、プリント番号メールを送信する。
【００５２】
（Ｔ３６）例えば携帯端末１を所持したユーザは、第２の出力端末４１ａに赴き、プリント予約番号を入力する。
（Ｔ３７）第２の出力端末４１ａは、第２の出力サーバ３１ａに対して、プリント予約番号によって特定される対象ファイルのダウンロードを要求する。
（Ｔ３８）第２の出力サーバ３１ａは、第２の出力端末４１ａに対して、プリント予約番号で特定される対象ファイルをダウンロード（送信）する。
（Ｔ３９）第２の出力端末４１ａは、対象ファイルを画面表示する。
（Ｔ４０）第２の出力端末４１ａに画面表示された対象ファイルを確認したユーザによる確認指示を受け取る。
（Ｔ４１）第２の出力端末４１ａにおいて、料金の画面表示を行う。
（Ｔ４２）ユーザが、第２の出力端末４１ａにおいて、料金を入金する。
（Ｔ４３）第２の出力端末４１ａは、証明写真等を印刷する。
これにより、ユーザは、所望の証明写真を入手することができる。
【００５３】
本実施の形態では、証明写真を出力させるための最初に決めた出力端末４１とは異なる出力端末４１ａに出力させることを可能にすることができる。
【００５４】
処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【００５５】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５６】
また、本発明の各構成要素は、任意に取捨選択することができ、取捨選択した構成を具備する発明も本発明に含まれるものである。
【００５７】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００５８】
また、「コンピュータシステム」は、ＷＷＷシステムを利用している場合であれば、ホームページ提供環境（あるいは表示環境）も含むものとする。
【００５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００６０】
本発明は、証明写真提供システムに利用可能である。
【符号の説明】
【００６１】
Ａ、Ｂ、Ｃ…証明写真提供システム、１…携帯端末、１１…アプリケーションサーバ（第１のサーバ装置）、１１−２…画像加工部、１１−３…プリント予約番号発行部、２１…中継サーバ（第２のサーバ装置）、２２−２…プリント予約番号重複チェック部、３１…出力サーバ（第３のサーバ装置）、４１…プリントサーバ（出力端末、マルチコピー機）。
【図１】
2017059172.tif 000003
【図２】
2017059172.tif 000004
【図３】
2017059172.tif 000005
【図４】
2017059172.tif 000006
【図５】
2017059172.tif 000007
【図６】
2017059172.tif 000008
【図７Ａ】
2017059172.tif 000009
【図７Ｂ】
2017059172.tif 000010
【図８】
2017059172.tif 000011
【図９】
2017059172.tif 000012
【図１０Ａ】
2017059172.tif 000013
【図１０Ｂ】
2017059172.tif 000014